(57)【特許請求の範囲】
【請求項１】
集中したアクセスを接続先ごとに振り分けるＬＡＣ装置と接続し、このＬＡＣ装置との間でＰＰＰｏＥセッションの確立を行うＰＰＰｏＥクライアント装置と接続し、前記ＬＡＣ装置と前記ＰＰＰｏＥクライアント装置とを接続するブリッジ機能部を備え、自装置もＰＰＰｏＥクライアントとして動作するＰＰＰｏＥブリッジ装置において、
前記ＬＡＣ装置と前記ＰＰＰｏＥクライアント装置との間で形成されるＰＰＰｏＥセッションのセッションＩＤ、前記ＬＡＣ装置のＭＡＣアドレス、前記ＰＰＰｏＥクライアント装置のＭＡＣアドレスを、前記ＬＡＣ装置と前記ＰＰＰｏＥクライアント装置との間でやり取りされるパケットから取得するデータ取得手段と、
このデータ取得手段で取得した前記ＬＡＣ装置のＭＡＣアドレスを宛先ＭＡＣアドレスとし、前記ＰＰＰｏＥクライアント装置のＭＡＣアドレスを送信元ＭＡＣアドレスとし、前記データ取得手段で取得したセッションＩＤを自セッションＩＤとして含む第１の終了要求パケットと、前記データ取得手段で取得した前記ＰＰＰｏＥクライアント装置のＭＡＣアドレスを宛先ＭＡＣアドレスとし、前記ＬＡＣ装置のＭＡＣアドレスを送信元ＭＡＣアドレスとし、前記データ取得手段で取得したセッションＩＤを自セッションＩＤとして含む第２の終了要求パケットとを生成するパケット生成手段と、
前記ブリッジ機能部により前記ＬＡＣ装置と前記ＰＰＰｏＥクライアント装置との接続が切断された後に、前記第１の終了要求パケットを前記ＬＡＣ装置へ送信し、前記第２の終了要求パケットを前記ＰＰＰｏＥクライアント装置へ送信する送信手段と
を備えることを特徴とするＰＰＰｏＥブリッジ装置。
【請求項２】
前記データ取得手段は、前記ＬＡＣ装置と前記ＰＰＰｏＥクライアント装置との間で形成されるＰＰＰｏＥセッションのセッションＩＤ、前記ＬＡＣ装置のＭＡＣアドレス、前記ＰＰＰｏＥクライアント装置のＭＡＣアドレスを、前記ＬＡＣ装置と前記ＰＰＰｏＥクライアント装置との間でやり取りされるＰＰＰｏＥパケットから取得することを特徴とする請求項１に記載のＰＰＰｏＥブリッジ装置。
【請求項３】
前記データ取得手段は、前記ＬＡＣ装置と前記ＰＰＰｏＥクライアント装置との間で形成されるＰＰＰｏＥセッションのセッションＩＤ、前記ＬＡＣ装置のＭＡＣアドレス、前記ＰＰＰｏＥクライアント装置のＭＡＣアドレスを、ＰＰＰｏＥプロトコルによる接続手順におけるＰＡＤＲパケットから取得することを特徴とする請求項１に記載のＰＰＰｏＥブリッジ装置。
【請求項４】
前記データ取得手段は、前記ＬＡＣ装置と前記ＰＰＰｏＥクライアント装置との間で形成されるＰＰＰｏＥセッションのセッションＩＤ、前記ＬＡＣ装置のＭＡＣアドレス、前記ＰＰＰｏＥクライアント装置のＭＡＣアドレスを、前記ＬＡＣ装置と前記ＰＰＰｏＥクライアント装置との間でＰＰＰｏＥセッション確立後にやり取りされるＰＰＰｏＥパケットから取得することを特徴とする請求項１に記載のＰＰＰｏＥブリッジ装置。
【請求項５】
前記データ取得手段は、前記ＬＡＣ装置と前記ＰＰＰｏＥクライアント装置との間で形成されるＰＰＰｏＥセッションのセッションＩＤ、前記ＬＡＣ装置のＭＡＣアドレス、前記ＰＰＰｏＥクライアント装置のＭＡＣアドレスを、前記ＬＡＣ装置から送信される接続性確認のパケットから取得することを特徴とする請求項１に記載のＰＰＰｏＥブリッジ装置。
【請求項６】
集中したアクセスを接続先ごとに振り分けるＬＡＣ装置と接続し、このＬＡＣ装置との間でＰＰＰｏＥセッションの確立を行うＰＰＰｏＥクライアント装置と接続し、前記ＬＡＣ装置と前記ＰＰＰｏＥクライアント装置とを接続するブリッジ機能部を備え、自装置もＰＰＰｏＥクライアントとして動作するＰＰＰｏＥブリッジ装置において、
前記ブリッジ機能部により前記ＬＡＣ装置と前記ＰＰＰｏＥクライアント装置との接続が切断された後に、前記ＬＡＣ装置のＭＡＣアドレス、前記ＰＰＰｏＥクライアント装置のＭＡＣアドレス、前記ＬＡＣ装置と前記ＰＰＰｏＥクライアント装置との接続切断前に使用していたＰＰＰｏＥセッションのセッションＩＤを、前記ＬＡＣ装置から前記ＰＰＰｏＥクライアント装置に送信される接続性確認のパケット又は前記ＰＰＰｏＥクライアント装置から前記ＬＡＣ装置に送信される接続性確認のパケットから取得するデータ取得手段と、
このデータ取得手段で取得した前記ＬＡＣ装置のＭＡＣアドレスを宛先ＭＡＣアドレスとし、前記ＰＰＰｏＥクライアント装置のＭＡＣアドレスを送信元ＭＡＣアドレスとし、前記データ取得手段で取得したセッションＩＤを自セッションＩＤとして含む第１の終了要求パケットと、前記データ取得手段で取得した前記ＰＰＰｏＥクライアント装置のＭＡＣアドレスを宛先ＭＡＣアドレスとし、前記ＬＡＣ装置のＭＡＣアドレスを送信元ＭＡＣアドレスとし、前記データ取得手段で取得したセッションＩＤを自セッションＩＤとして含む第２の終了要求パケットとを生成するパケット生成手段と、
前記第１の終了要求パケットを前記ＬＡＣ装置へ送信し、前記第２の終了要求パケットを前記ＰＰＰｏＥクライアント装置へ送信する送信手段と
を備えることを特徴とするＰＰＰｏＥブリッジ装置。
【請求項７】
集中したアクセスを接続先ごとに振り分けるＬＡＣ装置と接続し、このＬＡＣ装置との間でＰＰＰｏＥセッションの確立を行うＰＰＰｏＥクライアント装置と接続し、前記ＬＡＣ装置と前記ＰＰＰｏＥクライアント装置とを接続するブリッジ機能部を備え、自装置もＰＰＰｏＥクライアントとして動作するＰＰＰｏＥブリッジ装置のＰＰＰｏＥセッション切断方法において、
前記ＬＡＣ装置と前記ＰＰＰｏＥクライアント装置との間で形成されるＰＰＰｏＥセッションのセッションＩＤ、前記ＬＡＣ装置のＭＡＣアドレス、前記ＰＰＰｏＥクライアント装置のＭＡＣアドレスを、前記ＬＡＣ装置と前記ＰＰＰｏＥクライアント装置との間でやり取りされるパケットから取得するデータ取得ステップと、
このデータ取得ステップで取得した前記ＬＡＣ装置のＭＡＣアドレスを宛先ＭＡＣアドレスとし、前記ＰＰＰｏＥクライアント装置のＭＡＣアドレスを送信元ＭＡＣアドレスとし、前記データ取得ステップで取得したセッションＩＤを自セッションＩＤとして含む第１の終了要求パケットと、前記データ取得ステップで取得した前記ＰＰＰｏＥクライアント装置前記のＭＡＣアドレスを宛先ＭＡＣアドレスとし、前記ＬＡＣ装置のＭＡＣアドレスを送信元ＭＡＣアドレスとし、前記データ取得ステップで取得したセッションＩＤを自セッションＩＤとして含む第２の終了要求パケットとを生成するパケット生成ステップと、
前記ブリッジ機能部により前記ＬＡＣ装置と前記ＰＰＰｏＥクライアント装置との接続が切断された後に、前記第１の終了要求パケットを前記ＬＡＣ装置へ送信し、前記第２の終了要求パケットを前記ＰＰＰｏＥクライアント装置へ送信する送信ステップと
を有することを特徴とするＰＰＰｏＥセッション切断方法。
【請求項８】
前記データ取得ステップは、前記ＬＡＣ装置と前記ＰＰＰｏＥクライアント装置との間で形成されるＰＰＰｏＥセッションのセッションＩＤ、前記ＬＡＣ装置のＭＡＣアドレス、前記ＰＰＰｏＥクライアント装置のＭＡＣアドレスを、前記ＬＡＣ装置と前記ＰＰＰｏＥクライアント装置との間でやり取りされるＰＰＰｏＥパケットから取得することを特徴とする請求項７に記載のＰＰＰｏＥセッション切断方法。
【請求項９】
前記データ取得ステップは、前記ＬＡＣ装置と前記ＰＰＰｏＥクライアント装置との間で形成されるＰＰＰｏＥセッションのセッションＩＤ、前記ＬＡＣ装置のＭＡＣアドレス、前記ＰＰＰｏＥクライアント装置のＭＡＣアドレスを、ＰＰＰｏＥプロトコルによる接続手順におけるＰＡＤＲパケットから取得することを特徴とする請求項７に記載のＰＰＰｏＥセッション切断方法。
【請求項１０】
前記データ取得ステップは、前記ＬＡＣ装置と前記ＰＰＰｏＥクライアント装置との間で形成されるＰＰＰｏＥセッションのセッションＩＤ、前記ＬＡＣ装置のＭＡＣアドレス、前記ＰＰＰｏＥクライアント装置のＭＡＣアドレスを、前記ＬＡＣ装置と前記ＰＰＰｏＥクライアント装置との間でＰＰＰｏＥセッション確立後にやり取りされるＰＰＰｏＥパケットから取得することを特徴とする請求項７に記載のＰＰＰｏＥセッション切断方法。
【請求項１１】
前記データ取得ステップは、前記ＬＡＣ装置と前記ＰＰＰｏＥクライアント装置との間で形成されるＰＰＰｏＥセッションのセッションＩＤ、前記ＬＡＣ装置のＭＡＣアドレス、前記ＰＰＰｏＥクライアント装置のＭＡＣアドレスを、前記ＬＡＣ装置から送信される接続性確認のパケットから取得することを特徴とする請求項７に記載のＰＰＰｏＥセッション切断方法。
【請求項１２】
集中したアクセスを接続先ごとに振り分けるＬＡＣ装置と接続し、このＬＡＣ装置との間でＰＰＰｏＥセッションの確立を行うＰＰＰｏＥクライアント装置と接続し、前記ＬＡＣ装置と前記ＰＰＰｏＥクライアント装置とを接続するブリッジ機能部を備え、自装置もＰＰＰｏＥクライアントとして動作するＰＰＰｏＥブリッジ装置のＰＰＰｏＥセッション切断方法において、
前記ブリッジ機能部により前記ＬＡＣ装置と前記ＰＰＰｏＥクライアント装置との接続が切断された後に、前記ＬＡＣ装置のＭＡＣアドレス、前記ＰＰＰｏＥクライアント装置のＭＡＣアドレス、前記ＬＡＣ装置と前記ＰＰＰｏＥクライアント装置との接続切断前に使用していたＰＰＰｏＥセッションのセッションＩＤを、前記ＬＡＣ装置から前記ＰＰＰｏＥクライアント装置に送信される接続性確認のパケット又は前記ＰＰＰｏＥクライアント装置から前記ＬＡＣ装置に送信される接続性確認のパケットから取得するデータ取得ステップと、
このデータ取得ステップで取得した前記ＬＡＣ装置のＭＡＣアドレスを宛先ＭＡＣアドレスとし、前記ＰＰＰｏＥクライアント装置のＭＡＣアドレスを送信元ＭＡＣアドレスとし、前記データ取得ステップで取得したセッションＩＤを自セッションＩＤとして含む第１の終了要求パケットと、前記データ取得ステップで取得した前記ＰＰＰｏＥクライアント装置のＭＡＣアドレスを宛先ＭＡＣアドレスとし、前記ＬＡＣ装置のＭＡＣアドレスを送信元ＭＡＣアドレスとし、前記データ取得ステップで取得したセッションＩＤを自セッションＩＤとして含む第２の終了要求パケットとを生成するパケット生成ステップと、
前記第１の終了要求パケットを前記ＬＡＣ装置へ送信し、前記第２の終了要求パケットを前記ＰＰＰｏＥクライアント装置へ送信する送信ステップと
を有することを特徴とするＰＰＰｏＥセッション切断方法。
【発明の詳細な説明】
【技術分野】
【０００１】
本発明は、ＰＰＰｏＥ通信を行うことができる端末装置を事業者網に接続するＰＰＰｏＥブリッジ装置及びそのＰＰＰｏＥセッション切断方法に関する。
【背景技術】
【０００２】
ＰＰＰｏＥ（Point-to-Point Protocol over Ethernet（登録商標））は、データリンク層のプロトコルとして幅広く利用されているＰＰＰ（Point-to-Point Protocol）接続をEthernet（登録商標）上で実現する方式であり、ＲＦＣ２５１６で規定されている（非特許文献１参照）。ＰＰＰｏＥはＡＤＳＬ（Asymmetric Digital Subscriber Line）やＦＴＴＨ（Fiber To The Home）によるブロードバンドインターネット接続サービスにおいて、ユーザ端末と事業者の設備とを接続する方式として幅広く利用されている。
【０００３】
ＰＰＰｏＥが広く利用される背景として、以下の２点が挙げられる。まず、ＰＰＰの認証方式を使用することにより、事業者もしくはサービスへの接続認証を行うことができる点である。そして２つ目は、事業者に設置したＬＡＣ（L2TP Access Concentrator）、ＬＮＳ（L2TP Network Server）といった装置により、クライアント（ユーザ）側がプロバイダ識別子を含むＩＤを使用して認証を行うことで、接続先プロバイダをダイナミックに切り替えて接続することができる点である。
【０００４】
ユーザと事業者（以下、プロバイダと区別するためアクセス事業者と呼称する）、プロバイダの接続形態の一例を図６を参照して説明する。図６（ａ）はＰＰＰｏＥの接続形態を示す図、図６（ｂ），（ｃ），（ｄ）はそれぞれＰＰＰｏＥクライアント装置、ＬＡＣ装置、ＬＮＳ装置におけるプロトコルスタック図である。
【０００５】
図６（ａ）において、ユーザ宅内のＰＰＰｏＥクライアント装置１は、アクセス事業者のビルに設置されたＬＡＣ装置３へＡＤＳＬ、ＦＴＴＨ等のアクセス回線２を介してブリッジ接続されている。ここで、ＰＰＰｏＥクライアント装置１は、ＰＣ上のアプリケーションソフト又はブロードバンドルータ等のＰＰＰｏＥを終端する装置である。
【０００６】
図６（ｂ）に示すように、ＰＰＰｏＥクライアント装置１では、ＭＡＣ（Ethernet（登録商標））層とＩＰ層との間にＰＰＰ層が挿入され、ＰＰＰｏＥクライアント装置１とＬＡＣ装置３との間でＰＰＰ通信が可能なようになっている。
【０００７】
ＰＰＰｏＥクライアント装置１から開始されるＰＰＰｏＥセッションは、ＬＡＣ装置３において終端され、ＬＡＣ装置３はＰＰＰの認証を行う。ＬＡＣ装置３においてＰＰＰパケットは、プロバイダ識別子により接続先プロバイダ毎に集約される。
【０００８】
そして、図６（ｃ）に示すように、ＬＡＣ装置３では、ＰＰＰ層の下にＬ２ＴＰ層が挿入される。Ｌ２ＴＰは、ＰＰＰ通信をトンネリングするためのデータリンク層のプロトコルである。また、図６（ｄ）に示すように、ＬＮＳ装置５のＰＰＰ層の下にもＬ２ＴＰ層があり、ＬＡＣ装置３は、アクセス事業者とプロバイダ６Ａ，６Ｂとの間の相互接続点に設置されたＬＮＳ装置５へＬ２ＴＰ（Layer2 Tunneling Protocol）によりトンネリング接続される。
【０００９】
最後に、ＬＮＳ装置５においてプロバイダ識別子に応じて接続先プロバイダの振り分けが行われ、ＰＰＰカプセリングを解除してＩＰパケットがプロバイダ６Ａ，６Ｂへ転送される。
【００１０】
次に、ＰＰＰｏＥクライアント装置１とＬＡＣ装置３との間のＰＰＰｏＥセッション接続手順を説明する。図７はＰＰＰｏＥセッション接続手順を示すシーケンス図である。
【００１１】
ＰＰＰｏＥセッションを開始するにあたり、まずステップＳ１０では、ＰＰＰｏＥクライアント装置１は、ＬＡＣ装置３を探索するために網側に対しＰＡＤＩ（PPPoE Active Discovery Initiation）パケットをブロードキャストパケットとして送信する。
【００１２】
次に、ステップＳ２０では、ＰＡＤＩパケットを受信したＬＡＣ装置３は、ＰＡＤＩパケットに対する応答パケットとしてＰＡＤＯ（PPPoE Active Discovery Offer）パケットをＰＰＰｏＥクライアント装置１に対して返信する。
【００１３】
続いて、ステップＳ３０では、ＰＰＰｏＥクライアント装置１は、ＰＡＤＯパケットを返信したＬＡＣ装置３宛にユニキャストでＰＡＤＲ（PPPoE Active Discovery Request）パケットを送信し、セッションＩＤの発行をリクエストする。
【００１４】
次いで、ステップＳ４０では、ＬＡＣ装置３は、セッションＩＤを含むＰＡＤＳ（PPPoE Active Discovery Session Confirmation）パケットを送信する。そして、このＰＡＤＳパケットをＰＰＰｏＥクライアント装置１が受信した時点でＰＰＰｏＥのセッションが確立する。
【００１５】
その後、ステップＳ５０では、ＰＰＰｏＥクライアント装置１とＬＡＣ装置３は、ＰＰＰによる通信を行う。以降、同一のＰＰＰｏＥセッションはセッションＩＤによって管理される。
【００１６】
そして、ＰＰＰｏＥセッションを終了する際には、ステップＳ６０において、ＰＰＰｏＥクライアント装置１、ＬＡＣ装置３のいずれかからＰＰＰｏＥセッション終了を要求するＰＡＤＴ（PPPoE Active Discovery Session Terminate）パケットを送信し、ＰＰＰｏＥセッションを終了する。
【００１７】
ところで、アクセス事業者は、ユーザが無制限にＰＰＰｏＥセッションの接続を行うことを許容するとＬＡＣ機器の設備コストに影響するため、通常１つのアクセス回線契約に対して同時に利用可能なＰＰＰｏＥセッション数の上限値を設定している。
【００１８】
また、同時に無効なＰＰＰｏＥセッションを開放するため、ＬＡＣ装置３はＰＰＰｏＥクライアント装置１に対し、一定時間（Ｔ）間隔で、接続性確認のためのＬＣＰ Echo requestパケットを送信し、ｎ回連続してＰＰＰｏＥクライアント装置１からＬＣＰ Echo Replyがない場合、即ちｎ×Ｔ時間経過後には、ＬＡＣ装置３はＰＰＰｏＥクライアント装置１に対し、ＰＡＤＴパケットを送信し、ＰＰＰｏＥセッションを終了することが一般的に行われている。
【００１９】
ここで、ユーザ宅内に設置するＰＰＰｏＥクライアント機能を有する装置の中には、自身がＰＰＰｏＥセッションを終端すると同時に、ＬＡＮポートに接続した下部の端末がＰＰＰｏＥクライアントとして動作するためのＰＰＰｏＥブリッジ機能を搭載した装置も存在する。このような装置を以下ＰＰＰｏＥブリッジ装置と呼ぶ。
【００２０】
図８はＰＰＰｏＥブリッジ装置の接続形態を示す概略図である。図８に示すように、ＰＰＰｏＥブリッジ装置１１は、ＬＡＣ装置３、ＰＰＰｏＥクライアント装置７Ａ,７Ｂと接続される。ＰＰＰｏＥクライアント装置７Ａ,７Ｂは、ＰＰＰｏＥブリッジ装置１１を介してＬＡＣ装置３とＰＰＰｏＥ接続できるようになっている。
【非特許文献１】IETF RFC2516“A Method for Transmitting PPP Over Ethernet（登録商標）(PPPoE) ”、１９９９年２月
【発明の開示】
【発明が解決しようとする課題】
【００２１】
従来、ＰＰＰｏＥブリッジ装置は、下部に接続したＰＰＰｏＥクライアント装置が事業者網と接続しているＰＰＰｏＥセッションを随時に切断する機能を有していない。そこで、下部に接続したＰＰＰｏＥクライアント装置のＰＰＰｏＥセッションを切断するには、ＰＰＰｏＥブリッジ機能をＯＦＦにして下部のＰＰＰｏＥクライアント網とＬＡＣ装置とのＰＰＰｏＥパケットの導通を遮断し、上述の手順により一定時間（ｎ×Ｔ）経過後にＬＡＣ装置においてＰＰＰｏＥセッションを切断するのを待つという方法が一般的に行われていた。
【００２２】
このため、下部に接続したＰＰＰｏＥクライアント装置のＰＰＰｏＥセッションを切断するのに長時間を要し、随時に切断することができないという問題があった。
【００２３】
本発明は上記に鑑みてなされたもので、下部に接続したＰＰＰｏＥクライアント装置のＰＰＰｏＥセッションの切断に要する時間を短縮し、切断を随時に行うことができるＰＰＰｏＥブリッジ装置及びＰＰＰｏＥセッション切断方法を提供することを目的とする。
【課題を解決するための手段】
【００２４】
上記目的を達成するため、請求項１記載の発明は、集中したアクセスを接続先ごとに振り分けるＬＡＣ装置と接続し、このＬＡＣ装置との間でＰＰＰｏＥセッションの確立を行うＰＰＰｏＥクライアント装置と接続し、前記ＬＡＣ装置と前記ＰＰＰｏＥクライアント装置とを接続するブリッジ機能部を備え、自装置もＰＰＰｏＥクライアントとして動作するＰＰＰｏＥブリッジ装置において、前記ＬＡＣ装置と前記ＰＰＰｏＥクライアント装置との間で形成されるＰＰＰｏＥセッションのセッションＩＤ、前記ＬＡＣ装置のＭＡＣアドレス、前記ＰＰＰｏＥクライアント装置のＭＡＣアドレスを、前記ＬＡＣ装置と前記ＰＰＰｏＥクライアント装置との間でやり取りされるパケットから取得するデータ取得手段と、このデータ取得手段で取得した前記ＬＡＣ装置のＭＡＣアドレスを宛先ＭＡＣアドレスとし、前記ＰＰＰｏＥクライアント装置のＭＡＣアドレスを送信元ＭＡＣアドレスとし、前記データ取得手段で取得したセッションＩＤを自セッションＩＤとして含む第１の終了要求パケットと、前記データ取得手段で取得した前記ＰＰＰｏＥクライアント装置のＭＡＣアドレスを宛先ＭＡＣアドレスとし、前記ＬＡＣ装置のＭＡＣアドレスを送信元ＭＡＣアドレスとし、前記データ取得手段で取得したセッションＩＤを自セッションＩＤとして含む第２の終了要求パケットとを生成するパケット生成手段と、前記ブリッジ機能部により前記ＬＡＣ装置と前記ＰＰＰｏＥクライアント装置との接続が切断された後に、前記第１の終了要求パケットを前記ＬＡＣ装置へ送信し、前記第２の終了要求パケットを前記ＰＰＰｏＥクライアント装置へ送信する送信手段とを備えることを特徴とする。
【００２５】
請求項２記載の発明は、前記データ取得手段は、前記ＬＡＣ装置と前記ＰＰＰｏＥクライアント装置との間で形成されるＰＰＰｏＥセッションのセッションＩＤ、前記ＬＡＣ装置のＭＡＣアドレス、前記ＰＰＰｏＥクライアント装置のＭＡＣアドレスを、前記ＬＡＣ装置と前記ＰＰＰｏＥクライアント装置との間でやり取りされるＰＰＰｏＥパケットから取得することを特徴とする。
【００２６】
請求項３記載の発明は、前記データ取得手段は、前記ＬＡＣ装置と前記ＰＰＰｏＥクライアント装置との間で形成されるＰＰＰｏＥセッションのセッションＩＤ、前記ＬＡＣ装置のＭＡＣアドレス、前記ＰＰＰｏＥクライアント装置のＭＡＣアドレスを、ＰＰＰｏＥプロトコルによる接続手順におけるＰＡＤＲパケットから取得することを特徴とする。
【００２７】
請求項４記載の発明は、前記データ取得手段は、前記ＬＡＣ装置と前記ＰＰＰｏＥクライアント装置との間で形成されるＰＰＰｏＥセッションのセッションＩＤ、前記ＬＡＣ装置のＭＡＣアドレス、前記ＰＰＰｏＥクライアント装置のＭＡＣアドレスを、前記ＬＡＣ装置と前記ＰＰＰｏＥクライアント装置との間でＰＰＰｏＥセッション確立後にやり取りされるＰＰＰｏＥパケットから取得することを特徴とする。
【００２８】
請求項５記載の発明は、前記データ取得手段は、前記ＬＡＣ装置と前記ＰＰＰｏＥクライアント装置との間で形成されるＰＰＰｏＥセッションのセッションＩＤ、前記ＬＡＣ装置のＭＡＣアドレス、前記ＰＰＰｏＥクライアント装置のＭＡＣアドレスを、前記ＬＡＣ装置から送信される接続性確認のパケットから取得することを特徴とする。
【００２９】
請求項６記載の発明は、集中したアクセスを接続先ごとに振り分けるＬＡＣ装置と接続し、このＬＡＣ装置との間でＰＰＰｏＥセッションの確立を行うＰＰＰｏＥクライアント装置と接続し、前記ＬＡＣ装置と前記ＰＰＰｏＥクライアント装置とを接続するブリッジ機能部を備え、自装置もＰＰＰｏＥクライアントとして動作するＰＰＰｏＥブリッジ装置において、前記ブリッジ機能部により前記ＬＡＣ装置と前記ＰＰＰｏＥクライアント装置との接続が切断された後に、前記ＬＡＣ装置のＭＡＣアドレス、前記ＰＰＰｏＥクライアント装置のＭＡＣアドレス、前記ＬＡＣ装置と前記ＰＰＰｏＥクライアント装置との接続切断前に使用していたＰＰＰｏＥセッションのセッションＩＤを、前記ＬＡＣ装置から前記ＰＰＰｏＥクライアント装置に送信される接続性確認のパケット又は前記ＰＰＰｏＥクライアント装置から前記ＬＡＣ装置に送信される接続性確認のパケットから取得するデータ取得手段と、このデータ取得手段で取得した前記ＬＡＣ装置のＭＡＣアドレスを宛先ＭＡＣアドレスとし、前記ＰＰＰｏＥクライアント装置のＭＡＣアドレスを送信元ＭＡＣアドレスとし、前記データ取得手段で取得したセッションＩＤを自セッションＩＤとして含む第１の終了要求パケットと、前記データ取得手段で取得した前記ＰＰＰｏＥクライアント装置のＭＡＣアドレスを宛先ＭＡＣアドレスとし、前記ＬＡＣ装置のＭＡＣアドレスを送信元ＭＡＣアドレスとし、前記データ取得手段で取得したセッションＩＤを自セッションＩＤとして含む第２の終了要求パケットとを生成するパケット生成手段と、前記第１の終了要求パケットを前記ＬＡＣ装置へ送信し、前記第２の終了要求パケットを前記ＰＰＰｏＥクライアント装置へ送信する送信手段とを備えることを特徴とする。
【００３０】
請求項７記載の発明は、集中したアクセスを接続先ごとに振り分けるＬＡＣ装置と接続し、このＬＡＣ装置との間でＰＰＰｏＥセッションの確立を行うＰＰＰｏＥクライアント装置と接続し、前記ＬＡＣ装置と前記ＰＰＰｏＥクライアント装置とを接続するブリッジ機能部を備え、自装置もＰＰＰｏＥクライアントとして動作するＰＰＰｏＥブリッジ装置のＰＰＰｏＥセッション切断方法において、前記ＬＡＣ装置と前記ＰＰＰｏＥクライアント装置との間で形成されるＰＰＰｏＥセッションのセッションＩＤ、前記ＬＡＣ装置のＭＡＣアドレス、前記ＰＰＰｏＥクライアント装置のＭＡＣアドレスを、前記ＬＡＣ装置と前記ＰＰＰｏＥクライアント装置との間でやり取りされるパケットから取得するデータ取得ステップと、このデータ取得ステップで取得した前記ＬＡＣ装置のＭＡＣアドレスを宛先ＭＡＣアドレスとし、前記ＰＰＰｏＥクライアント装置のＭＡＣアドレスを送信元ＭＡＣアドレスとし、前記データ取得ステップで取得したセッションＩＤを自セッションＩＤとして含む第１の終了要求パケットと、前記データ取得ステップで取得した前記ＰＰＰｏＥクライアント装置前記のＭＡＣアドレスを宛先ＭＡＣアドレスとし、前記ＬＡＣ装置のＭＡＣアドレスを送信元ＭＡＣアドレスとし、前記データ取得ステップで取得したセッションＩＤを自セッションＩＤとして含む第２の終了要求パケットとを生成するパケット生成ステップと、前記ブリッジ機能部により前記ＬＡＣ装置と前記ＰＰＰｏＥクライアント装置との接続が切断された後に、前記第１の終了要求パケットを前記ＬＡＣ装置へ送信し、前記第２の終了要求パケットを前記ＰＰＰｏＥクライアント装置へ送信する送信ステップとを有することを特徴とする。
【００３１】
請求項８記載の発明は、前記データ取得ステップは、前記ＬＡＣ装置と前記ＰＰＰｏＥクライアント装置との間で形成されるＰＰＰｏＥセッションのセッションＩＤ、前記ＬＡＣ装置のＭＡＣアドレス、前記ＰＰＰｏＥクライアント装置のＭＡＣアドレスを、前記ＬＡＣ装置と前記ＰＰＰｏＥクライアント装置との間でやり取りされるＰＰＰｏＥパケットから取得することを特徴とする。
【００３２】
請求項９記載の発明は、前記データ取得ステップは、前記ＬＡＣ装置と前記ＰＰＰｏＥクライアント装置との間で形成されるＰＰＰｏＥセッションのセッションＩＤ、前記ＬＡＣ装置のＭＡＣアドレス、前記ＰＰＰｏＥクライアント装置のＭＡＣアドレスを、ＰＰＰｏＥプロトコルによる接続手順におけるＰＡＤＲパケットから取得することを特徴とする。
【００３３】
請求項１０記載の発明は、前記データ取得ステップは、前記ＬＡＣ装置と前記ＰＰＰｏＥクライアント装置との間で形成されるＰＰＰｏＥセッションのセッションＩＤ、前記ＬＡＣ装置のＭＡＣアドレス、前記ＰＰＰｏＥクライアント装置のＭＡＣアドレスを、前記ＬＡＣ装置と前記ＰＰＰｏＥクライアント装置との間でＰＰＰｏＥセッション確立後にやり取りされるＰＰＰｏＥパケットから取得することを特徴とする。
【００３４】
請求項１１記載の発明は、前記データ取得ステップは、前記ＬＡＣ装置と前記ＰＰＰｏＥクライアント装置との間で形成されるＰＰＰｏＥセッションのセッションＩＤ、前記ＬＡＣ装置のＭＡＣアドレス、前記ＰＰＰｏＥクライアント装置のＭＡＣアドレスを、前記ＬＡＣ装置から送信される接続性確認のパケットから取得することを特徴とする。
【００３５】
請求項１２記載の発明は、集中したアクセスを接続先ごとに振り分けるＬＡＣ装置と接続し、このＬＡＣ装置との間でＰＰＰｏＥセッションの確立を行うＰＰＰｏＥクライアント装置と接続し、前記ＬＡＣ装置と前記ＰＰＰｏＥクライアント装置とを接続するブリッジ機能部を備え、自装置もＰＰＰｏＥクライアントとして動作するＰＰＰｏＥブリッジ装置のＰＰＰｏＥセッション切断方法において、前記ブリッジ機能部により前記ＬＡＣ装置と前記ＰＰＰｏＥクライアント装置との接続が切断された後に、前記ＬＡＣ装置のＭＡＣアドレス、前記ＰＰＰｏＥクライアント装置のＭＡＣアドレス、前記ＬＡＣ装置と前記ＰＰＰｏＥクライアント装置との接続切断前に使用していたＰＰＰｏＥセッションのセッションＩＤを、前記ＬＡＣ装置から前記ＰＰＰｏＥクライアント装置に送信される接続性確認のパケット又は前記ＰＰＰｏＥクライアント装置から前記ＬＡＣ装置に送信される接続性確認のパケットから取得するデータ取得ステップと、このデータ取得ステップで取得した前記ＬＡＣ装置のＭＡＣアドレスを宛先ＭＡＣアドレスとし、前記ＰＰＰｏＥクライアント装置のＭＡＣアドレスを送信元ＭＡＣアドレスとし、前記データ取得ステップで取得したセッションＩＤを自セッションＩＤとして含む第１の終了要求パケットと、前記データ取得ステップで取得した前記ＰＰＰｏＥクライアント装置のＭＡＣアドレスを宛先ＭＡＣアドレスとし、前記ＬＡＣ装置のＭＡＣアドレスを送信元ＭＡＣアドレスとし、前記データ取得ステップで取得したセッションＩＤを自セッションＩＤとして含む第２の終了要求パケットとを生成するパケット生成ステップと、前記第１の終了要求パケットを前記ＬＡＣ装置へ送信し、前記第２の終了要求パケットを前記ＰＰＰｏＥクライアント装置へ送信する送信ステップとを有することを特徴とする。
【発明の効果】
【００３６】
本発明によれば、ＬＡＣ装置とＰＰＰｏＥクライアント装置との間で形成されるＰＰＰｏＥセッションのセッションＩＤ、ＬＡＣ装置のＭＡＣアドレス、ＰＰＰｏＥクライアント装置のＭＡＣアドレスを、ＬＡＣ装置とＰＰＰｏＥクライアント装置との間でやり取りされるパケットから取得し、ＬＡＣ装置のＭＡＣアドレスを宛先ＭＡＣアドレスとし、ＰＰＰｏＥクライアント装置のＭＡＣアドレスを送信元ＭＡＣアドレスとし、パケットから取得したセッションＩＤを自セッションＩＤとして含む第１の終了要求パケットと、ＰＰＰｏＥクライアント装置のＭＡＣアドレスを宛先ＭＡＣアドレスとし、ＬＡＣ装置のＭＡＣアドレスを送信元ＭＡＣアドレスとし、パケットから取得したセッションＩＤを自セッションＩＤとして含む第２の終了要求パケットとを生成し、第１の終了要求パケットをＬＡＣ装置へ送信し、第２の終了要求パケットをＰＰＰｏＥクライアント装置へ送信するので、下部に接続したＰＰＰｏＥクライアント装置のＰＰＰｏＥセッションの切断に要する時間を短縮し、切断を随時に行うことができる。
【発明を実施するための最良の形態】
【００３７】
以下、本発明のＰＰＰｏＥブリッジ装置及びＰＰＰｏＥセッション切断方法を実施するための最良の形態について、図面を参照して説明する。
【００３８】
（第１の実施の形態）
図１は本発明の第１の実施の形態のＰＰＰｏＥブリッジ装置を示すブロック図である。
【００３９】
図１に示すように本実施の形態のＰＰＰｏＥブリッジ装置１１は、制御部１２と、ＷＡＮポート１３と、ブリッジ機能部１４と、記録部１５と、ＬＡＮポート１６，１７とを備える。ＷＡＮポート１３は、アクセス回線２を介してＬＡＣ装置３に接続され、ＬＡＣ装置３から送信されるパケットを制御部１２に出力する。
【００４０】
ブリッジ機能部１４は、ＬＡＮポート１６，１７を介してＰＰＰｏＥブリッジ装置１１にそれぞれ接続されるＰＰＰｏＥクライアント装置７Ａ，７ＢとＬＡＣ装置３とを接続する機能を有する。なお、図１ではＰＰＰｏＥクライアント装置が２つ接続されている例を示しているが、接続されるＰＰＰｏＥクライアント装置の数はこれに限らない。
【００４１】
制御部１２は、ＬＡＣ装置３又はＰＰＰｏＥクライアント装置７Ａ，７Ｂから送信されるパケットをモニタするパケットモニタリング部１２１と、パケットを識別するパケット識別部１２２と、ＬＡＣ装置３又はＰＰＰｏＥクライアント装置７Ａ，７Ｂから送信されるパケットからＬＡＣ装置３、ＰＰＰｏＥクライアント装置７Ａ，７ＢのＭＡＣアドレスとＰＰＰｏＥセッションのセッションＩＤとを取得するデータ取得部１２３と、パケットを生成するパケット生成部１２４と、パケット生成部１２４で生成されたパケットを送信し、ＬＡＣ装置３又はＰＰＰｏＥクライアント装置７Ａ，７Ｂから送信されるパケットを受信する送受信部１２５とを備える。
【００４２】
記録部１５は、データ取得部１２３で取得したＬＡＣ装置３、ＰＰＰｏＥクライアント装置７Ａ，７ＢのＭＡＣアドレスとＰＰＰｏＥセッションのセッションＩＤを記録する。
【００４３】
次に、第１の実施の形態のＰＰＰｏＥブリッジ装置の動作及びＰＰＰｏＥセッション切断方法を説明する。図２は本発明の第１の実施の形態のＰＰＰｏＥセッション切断方法を示すシーケンス図である。
【００４４】
以下、ＬＡＣ装置３とＰＰＰｏＥクライアント装置７Ａとの間のＰＰＰｏＥセッションを切断する場合について説明する。まず、ステップＳ１１０では、パケットモニタリング部１２１は、ＬＡＣ装置３とＰＰＰｏＥクライアント装置７Ａとの間でやり取りされるパケットをモニタする。そして、パケット識別部１２２は、これらのパケットのなかにＰＰＰｏＥクライアント装置７ＡがＰＰＰｏＥセッションを開始した際にＬＡＣ装置３から送信されるＰＡＤＲパケットがあるかどうかを判断する。
【００４５】
そして、ステップＳ１２０において、ＬＡＣ装置３からＰＡＤＲパケットが送信され、パケット識別部１２２がＰＡＤＲパケットであると判断すると、ステップＳ１３０では、データ取得部１２３は、このＰＡＤＲパケットから、ＬＡＣ装置３とＰＰＰｏＥクライアント装置７Ａとの間で形成されるＰＰＰｏＥセッションのセッションＩＤ、ＰＰＰｏＥクライアント装置７ＡのＭＡＣアドレス、ＬＡＣ装置３のＭＡＣアドレスを読み取る。また、記録部１５は、データ取得部１２３で読み取ったセッションＩＤ、ＰＰＰｏＥクライアント装置７ＡのＭＡＣアドレス、ＬＡＣ装置３のＭＡＣアドレスを記録する。
【００４６】
なお、ＰＡＤＲパケットの代わりに、ＰＰＰｏＥセッション確立後にＬＡＣ装置３とＰＰＰｏＥクライアント装置７Ａとの間でやり取りされるＰＰＰｏＥパケットから、セッションＩＤ、ＰＰＰｏＥクライアント装置７ＡのＭＡＣアドレス、ＬＡＣ装置３のＭＡＣアドレスを取得してもよい。また、ＬＡＣ装置３からＬＣＰ-Echo Requestパケットが定期的に送信されるのであれば、これからセッションＩＤ、ＰＰＰｏＥクライアント装置７ＡのＭＡＣアドレス、ＬＡＣ装置３のＭＡＣアドレスを取得してもよい。また、その他のＰＰＰｏＥパケットから、セッションＩＤ、ＰＰＰｏＥクライアント装置７ＡのＭＡＣアドレス、ＬＡＣ装置３のＭＡＣアドレスを取得してもよい。
【００４７】
次に、ステップＳ１４０では、パケット生成部１２４は、記録部１５に記録したセッションＩＤ、ＰＰＰｏＥクライアント装置７ＡのＭＡＣアドレス、ＬＡＣ装置３のＭＡＣアドレスから、ＰＡＤＴパケットを２種類生成する。
【００４８】
図３はＰＡＤＴパケットを示す図である。図３に示すようにＰＡＤＴパケットは、Ethernet（登録商標）ヘッダ、ＰＰＰｏＥヘッダ、ＰＰＰｏＥペイロード及びフレームチェックシーケンスからなる。Ethernet（登録商標）ヘッダは、宛先ＭＡＣアドレス、送信元ＭＡＣアドレス、イーサタイプからなる。また、ＰＰＰｏＥヘッダは、バージョン、タイプ、コード、ＰＰＰｏＥセッションのセッションＩＤ、ＰＰＰｏＥペイロードのデータ長の各情報からなる。
【００４９】
ステップＳ１４０では、パケット生成部１２４は、宛先ＭＡＣアドレスとしてＬＡＣ装置３のＭＡＣアドレスを記載し、送信元ＭＡＣアドレスとしてＰＰＰｏＥクライアント装置７ＡのＭＡＣアドレスを記載し、セッションＩＤとして記録部１５に記録したセッションＩＤを記載したＰＡＤＴパケットを、第１のＰＡＤＴパケットとして生成する。
【００５０】
また、パケット生成部１２４は、宛先ＭＡＣアドレスとしてＰＰＰｏＥクライアント装置７ＡのＭＡＣアドレスを記載し、送信元ＭＡＣアドレスとしてＬＡＣ装置３のＭＡＣアドレスを記載し、セッションＩＤとして記録部１５に記録したセッションＩＤを記載したＰＡＤＴパケットを、第２のＰＡＤＴパケットとして生成する。
【００５１】
次いで、ステップＳ１５０では、ブリッジ機能部１４は、ＰＰＰｏＥブリッジ機能をＯＦＦにして、ＰＰＰｏＥクライアント装置７ＡとＬＡＣ装置３とのＰＰＰｏＥパケットの導通を遮断する。その後、ステップＳ１６０では、送受信部１２５は、第１のＰＡＤＴパケットをＬＡＣ装置３に対して送信する。また、ステップＳ１７０では、送受信部１２５は、第２のＰＡＤＴパケットをＰＰＰｏＥクライアント装置７Ａに対して送信する。
【００５２】
その後、ステップＳ１８０において、パケットモニタリング部１２１は、ＬＡＣ装置３及びＰＰＰｏＥクライアント装置７Ａから送信されるパケットをモニタする。そして、パケット識別部１２２は、これらのパケットのなかにパケット生成部１２４で生成した第１及び第２のＰＡＤＴパケットと同一のセッションＩＤのＰＡＤＴパケットがあるかどうかを判断する。
【００５３】
そして、ステップＳ１９０，Ｓ２００において、ＰＡＤＴパケットがそれぞれＬＡＣ装置３、ＰＰＰｏＥクライアント装置７Ａから送信され、パケット識別部１２２が、これらのＰＡＤＴパケットがパケット生成部１２４で生成した第１及び第２のＰＡＤＴパケットと同一のセッションＩＤのＰＡＤＴパケットであると判断すると、ＰＰＰｏＥセッションが開放されたことが確認される。
【００５４】
このように第１の実施の形態のＰＰＰｏＥブリッジ装置及びＰＰＰｏＥセッション切断方法によれば、ＬＡＣ装置３とＰＰＰｏＥクライアント装置７Ａとの間で形成されるＰＰＰｏＥセッションのセッションＩＤ、ＬＡＣ装置３のＭＡＣアドレス、ＰＰＰｏＥクライアント装置７ＡのＭＡＣアドレスを、ＬＡＣ装置３とＰＰＰｏＥクライアント装置７Ａとの間でやり取りされるパケットから取得し、ＬＡＣ装置３のＭＡＣアドレスを宛先ＭＡＣアドレスとし、ＰＰＰｏＥクライアント装置７ＡのＭＡＣアドレスを送信元ＭＡＣアドレスとし、パケットから取得したセッションＩＤを自身のセッションＩＤとして含む第１のＰＡＤＴパケットと、ＰＰＰｏＥクライアント装置７ＡのＭＡＣアドレスを宛先ＭＡＣアドレスとし、ＬＡＣ装置のＭＡＣアドレスを送信元ＭＡＣアドレスとし、パケットから取得したセッションＩＤを自身のセッションＩＤとして含む第２のＰＡＤＴパケットとを生成し、第１のＰＡＤＴパケットをＬＡＣ装置３へ送信し、第２のＰＡＤＴパケットをＰＰＰｏＥクライアント装置７Ａへ送信するので、下部に接続したＰＰＰｏＥクライアント装置７ＡのＰＰＰｏＥセッションの切断に要する時間を短縮し、切断を随時に行うことができる。
【００５５】
（第２の実施の形態）
第２の実施の形態のＰＰＰｏＥブリッジ装置の構成は、図１に示す第１の実施の形態のＰＰＰｏＥブリッジ装置と同様である。
【００５６】
第２の実施の形態のＰＰＰｏＥブリッジ装置の動作及びＰＰＰｏＥセッション切断方法を説明する。図４は本発明の第２の実施の形態のＰＰＰｏＥセッション切断方法を示すシーケンス図である。
【００５７】
まず、ステップＳ２１０では、ブリッジ機能部１４は、ＰＰＰｏＥブリッジ機能をＯＦＦにして、ＰＰＰｏＥクライアント装置７ＡとＬＡＣ装置３とのＰＰＰｏＥパケットの導通を遮断する。
【００５８】
そして、ステップＳ２２０では、パケットモニタリング部１２１は、ＬＡＣ装置３及びＰＰＰｏＥクライアント装置７Ａから送信されるパケットをモニタする。そして、パケット識別部１２２は、これらのパケットのなかにＬＡＣ装置３又はＰＰＰｏＥクライアント装置７Ａから送信されるＬＣＰ Echo Requestパケットがあるかどうかを判断する。
【００５９】
図５はＬＣＰ Echo Requestパケットを示す図である。図５に示すようにＬＣＰ Echo Requestパケットは、Ethernet（登録商標）ヘッダ、ＰＰＰｏＥヘッダ、ＰＰＰｏＥペイロード及びフレームチェックシーケンスからなる。Ethernet（登録商標）ヘッダは、宛先ＭＡＣアドレス、送信元ＭＡＣアドレス、イーサタイプからなる。また、ＰＰＰｏＥヘッダは、バージョン、タイプ、コード、ＰＰＰｏＥセッションのセッションＩＤ、ＰＰＰｏＥペイロードのデータ長の各情報からなる。また、ＰＰＰｏＥペイロードは、ＰＰＰプロトコル、ＬＣＰ Echo Requestのデータからなる。
【００６０】
そして、ステップＳ２３０において、ＬＣＰ Echo RequestパケットがＬＡＣ装置３から送信され、パケット識別部１２２が、このＬＣＰ Echo RequestパケットがＬＡＣ装置３から送信されたＬＣＰ Echo Requestパケットであると判断すると、ステップＳ２５０では、データ取得部１２３は、ＬＡＣ装置３から送信されたＬＣＰ Echo RequestパケットのEthernet（登録商標）ヘッダの送信元ＭＡＣアドレスからＬＡＣ装置３のＭＡＣアドレスを読み取り、宛先ＭＡＣアドレスからＰＰＰｏＥクライアント装置７ＡのＭＡＣアドレスを読み取る。
【００６１】
また、データ取得部１２３は、ＰＰＰｏＥヘッダのセッションＩＤから、ＬＡＣ装置３とＰＰＰｏＥクライアント装置７Ａとの間で形成されるＰＰＰｏＥセッションのセッションＩＤを読み取る。複数のセッションを使用していた場合は、ＬＣＰ Echo Requestパケットはセッション毎に受信され、セッションＩＤは複数となる。
【００６２】
同様に、ＬＣＰ Echo RequestパケットがＰＰＰｏＥクライアント装置７Ａから送信され（ステップＳ２４０）、パケット識別部１２２が、このＬＣＰ Echo RequestパケットがＰＰＰｏＥクライアント装置７Ａから送信されたＬＣＰ Echo Requestパケットであると判断すると、ステップＳ２５０では、データ取得部１２３は、ＰＰＰｏＥクライアント装置７Ａから送信されたＬＣＰ Echo RequestパケットのEthernet（登録商標）ヘッダの送信元ＭＡＣアドレスからＰＰＰｏＥクライアント装置７ＡのＭＡＣアドレスを読み取り、宛先ＭＡＣアドレスからＬＡＣ装置３のＭＡＣアドレスを読み取る。また、データ取得部１２３は、ＰＰＰｏＥヘッダのセッションＩＤから、ＬＡＣ装置３とＰＰＰｏＥクライアント装置７Ａとの間で形成されるＰＰＰｏＥセッションのセッションＩＤを読み取る。
【００６３】
そして、記録部１５は、データ取得部１２３で読み取ったセッションＩＤ、ＰＰＰｏＥクライアント装置７ＡのＭＡＣアドレス、ＬＡＣ装置３のＭＡＣアドレスを記録する。
【００６４】
次に、ステップＳ２６０では、パケット生成部１２４は、記録部１５に記録したセッションＩＤ、ＰＰＰｏＥクライアント装置７ＡのＭＡＣアドレス、ＬＡＣ装置３のＭＡＣアドレスから、宛先ＭＡＣアドレスとしてＬＡＣ装置３のＭＡＣアドレスを記載し、送信元ＭＡＣアドレスとしてＰＰＰｏＥクライアント装置７ＡのＭＡＣアドレスを記載し、セッションＩＤとして記録部１５に記録したセッションＩＤを記載したＰＡＤＴパケットを、第１のＰＡＤＴパケットとして生成する。
【００６５】
また、パケット生成部１２４は、宛先ＭＡＣアドレスとしてＰＰＰｏＥクライアント装置７ＡのＭＡＣアドレスを記載し、送信元ＭＡＣアドレスとしてＬＡＣ装置３のＭＡＣアドレスを記載し、セッションＩＤとして記録部１５に記録したセッションＩＤを記載したＰＡＤＴパケットを、第２のＰＡＤＴパケットとして生成する。
【００６６】
以下、ステップＳ２７０〜Ｓ３１０は、第１の実施の形態で説明した図２のステップＳ１６０〜Ｓ２００と同様である。
【００６７】
第２の実施の形態は、ＰＰＰｏＥセッションを切断する必要が生じてからＰＡＤＴパケットを生成するためのモニタリングを開始するもので、このようにしても第１の実施の形態と同様の効果を得ることができる。
【図面の簡単な説明】
【００６８】
【図１】本発明の第１の実施の形態のＰＰＰｏＥブリッジ装置を示すブロック図である。
【図２】本発明の第１の実施の形態のＰＰＰｏＥセッション切断方法を示すシーケンス図である。
【図３】ＰＡＤＴパケットを示す図である。
【図４】本発明の第２の実施の形態のＰＰＰｏＥセッション切断方法を示すシーケンス図である。
【図５】ＬＣＰ Echo Requestパケットを示す図である。
【図６】（ａ）はＰＰＰｏＥの接続形態を示す図、（ｂ）はＰＰＰｏＥクライアント装置におけるプロトコルスタック図、（ｃ）はＬＡＣ装置におけるプロトコルスタック図、（ｄ）はＬＮＳ装置におけるプロトコルスタック図である。
【図７】ＰＰＰｏＥセッション接続手順を示すシーケンス図である。
【図８】ＰＰＰｏＥブリッジ装置の接続形態を示す概略図である。
【符号の説明】
【００６９】
１，７Ａ，７Ｂ    ＰＰＰｏＥクライアント装置
２    アクセス回線
３    ＬＡＣ装置
５    ＬＮＳ装置
６Ａ，６Ｂ    プロバイダ
１１    ＰＰＰｏＥブリッジ装置
１２    制御部
１３    ＷＡＮポート
１４    ブリッジ機能部
１５    記録部
１６，１７    ＬＡＮポート
１２１    パケットモニタリング部
１２２    パケット識別部
１２３    データ取得部
１２４    パケット生成部
１２５    送受信部
【図１】
0004817797.tif 000002
【図２】
0004817797.tif 000003
【図３】
0004817797.tif 000004
【図４】
0004817797.tif 000005
【図５】
0004817797.tif 000006
【図６】
0004817797.tif 000007
【図７】
0004817797.tif 000008
【図８】
0004817797.tif 000009